(57)【要約】【課題】調整対象物の調整作業を正確且つ容易に行わせることを可能としたパチンコ機を提供する。【解決手段】透明遊技盤６の裏側面に対して調光シート１７を貼り付け、主制御基板は開放検出センサ１６により前枠扉４の開放が検出されていない場合には、調光シート１７に対して電圧を印加し、調光シート１７を背後が透視可能な透視状態となるように制御するとともに、開放検出センサ１６により前枠扉４の開放が検出されている場合には、調光シート１７に対して電圧を印加せず、調光シート１７を背後が透視不可能な不透視状態となるように制御するように構成する。【選択図】図６
2010273826.tif 000002
【特許請求の範囲】
【請求項１】
パチンコ球を発射するパチンコ球発射装置と、
前記パチンコ球発射装置により発射されたパチンコ球を転動させる遊技領域と、
前面に前記遊技領域を有するとともに、前記遊技領域内に透明部材により形成されて背後が透視可能な透明領域を備えた遊技盤と、
前記透明領域内においてパチンコ球に対する姿勢が調整可能に配置され、パチンコ球と接触することによりパチンコ球の転動方向を変化させる調整対象物と、
前記調整対象物が配置された前記遊技盤の周囲において前記遊技盤の表面又は表面より背面側に配置され、背後が透視可能な第１透視状態と前記第１透視状態よりも透視が困難な第２透視状態のいずれかの状態に切り換え可能な調光部材と、を有することを特徴とするパチンコ機。
【請求項２】
前面側から背面側を視認可能な窓部を有し、該窓部を通して前記遊技領域を視認可能な状態で前記遊技領域の前面を覆うとともに、該遊技領域の前面を開閉可能な前枠扉と、
前記前枠扉の開放を検出する前枠扉開放検出手段と、を有し、
前記前枠扉開放検出手段によって前記前枠扉の開放を検出した場合に、前記調光部材を前記第１透視状態から前記第２透視状態へと切り換えることを特徴とする請求項１に記載のパチンコ機。
【請求項３】
前記調光部材の前記第２透視状態では、前記第１透視状態よりも白みがかかって見えることを特徴とする請求項１又は請求項２に記載のパチンコ機。
【発明の詳細な説明】
【技術分野】
【０００１】
本発明は、遊技領域内に釘等の調整対象物が配置されたパチンコ機に関する。
【背景技術】
【０００２】
従来より、遊技領域に設けられ、複数の識別図柄や演出画像を表示する図柄表示装置を備えたパチンコ機やパチスロ機等の遊技機に関して種々提案されている。このような図柄表示装置では、識別図柄の組合せに従って大当りの有無を遊技者に報知したり、内部抽選結果に基づく各種演出画像を表示させることによって、遊技機における遊技性を多様化させている。更に、近年では、上記図柄表示装置に加えて大型の役物、装飾部材、ＬＥＤ、ランプ等の発光装置が遊技領域内に設けられていることが多い。このような大型の役物、装飾部材、発光装置は、図柄表示装置の表示内容とリンクして可動又は発光したり、大当りとなったことを遊技者に報知する際に可動又は発光される。
【０００３】
そして、近年、上記図柄表示装置が大型化する傾向があり、パチンコ機においては図柄表示装置の大型化に伴ってパチンコ球が転動する遊技領域が狭くなり、パチンコ球の転動による遊技性が低下する問題があった。また、役物、装飾部材、発光装置についても大型化や配置数の増加傾向があり、同じく遊技領域が狭くなる問題があった。そこで、遊技盤を透明部材により形成し、その透明遊技盤に釘や入賞口等を設けて遊技領域とすると共に、透明遊技盤の背後に図柄表示装置や役物、装飾部材、発光装置等を配置することが提案されている（例えば、特開２００７−３０１２１９号公報参照）。その結果、広い遊技領域を確保することが可能となるとともに、透明な遊技盤を通して遊技領域内の広い領域で演出画像を表示することが可能となる。また、大型の役物、装飾部材、発光装置についても多数配置することが可能となる。
【先行技術文献】
【特許文献】
【０００４】
【特許文献１】特開２００７−３０１２１９号公報（第６頁、第７頁、図２）
【発明の概要】
【発明が解決しようとする課題】
【０００５】
しかしながら、上記透明遊技盤を用いたパチンコ機においては、以下の新たな問題が生じていた。
従来よりパチンコ機の遊技領域内には、遊技領域内を転動するパチンコ球の転動に変化を与えるために釘等の調整対象物が多数配置されている。また、この調整対象物は外部から負荷を与えることによって形状（即ち、パチンコ球に対する姿勢）を変化させることができる。ここで、釘等の調整対象物のパチンコ球に対する姿勢は、入賞口や始動口へのパチンコ球の入賞確率を大きく左右するものであり、日常的に微妙な調整が行われる。
【０００６】
しかしながら、透明遊技盤に対して配置された調整対象物の調整作業は、従来のベニヤ板からなる遊技盤に対して配置された調整対象物の調整作業と比較して困難な作業となっていた。その理由としては、以下の（ａ）〜（ｃ）がある。
（ａ）調整対象物を調整する者（以下、調整者という）は透明遊技盤の背面側にある構造物を調整対象物と同時に視認することとなるため、距離感にズレが生じる。
（ｂ）調整対象物の背後にＬＥＤやランプ等の発光装置があると、発光装置からの光が調整者の目に入射し、調整作業を妨げる。
（ｃ）調整対象物の背後に鏡やメッキ部品等の反射部材があると、調整者は反射部材に前記調整対象物や背景が映り込むことによって調整対象物の正確な形状を判別することが難しくなる。
【０００７】
そこで、本発明は、調整対象物が配置された遊技盤の周囲において、背後が透視可能な第１透視状態と前記第１透視状態よりも透視が困難な第２透視状態のいずれかの状態に切り換え可能な調光部材を配置することにより、調整対象物の調整作業を正確且つ容易に行わせることを可能としたパチンコ機を提案する。
【課題を解決するための手段】
【０００８】
前記目的を達成するため請求項１に係るパチンコ機は、パチンコ球を発射するパチンコ球発射装置と、パチンコ球発射装置により発射されたパチンコ球を転動させる遊技領域と、前面に遊技領域を有するとともに、遊技領域内に透明部材により形成されて背後が透視可能な透明領域を備えた遊技盤と、透明領域内においてパチンコ球に対する姿勢が調整可能に配置され、パチンコ球と接触することによりパチンコ球の転動方向を変化させる調整対象物と、調整対象物が配置された遊技盤の周囲において遊技盤の表面又は表面より背面側に配置され、背後が透視可能な第１透視状態と第１透視状態よりも透視が困難な第２透視状態のいずれかの状態に切り換え可能な調光部材と、を有することを特徴とする。
尚、調整対象物としては、釘、風車、役物等を含む。
【０００９】
前記請求項１に係るパチンコ機によれば、調整者が調整対象物のパチンコ球に対する姿勢を調整する際に、調光部材を第１透視状態から前記第１透視状態よりも透視が困難な第２透視状態とすることによって、遊技盤の背面側に構造物がある場合にはその構造物を視認し難い状態とし、距離感のズレが生じるのを抑える。また、調整対象物の背後に発光装置がある場合には、その発光装置からの光が遊技者の目に入射するのを抑える。更に、調整対象物の背後に反射部材がある場合には、その反射部材に調整対象物や背景が映り込むのを抑える。その結果、透明領域を備えた遊技盤を用いた場合であっても調整対象物の調整作業を正確且つ容易に行わせることが可能となる。
【００１０】
また、請求項２に係るパチンコ機は、更に、前面側から背面側を視認可能な窓部を有し、該窓部を通して前記遊技領域を視認可能な状態で遊技領域の前面を覆うとともに、該遊技領域の前面を開閉可能な前枠扉と、前枠扉の開放を検出する前枠扉開放検出手段と、を有し、前枠扉開放検出手段によって前枠扉の開放を検出した場合に、調光部材を第１透視状態から第２透視状態へと切り換えることを特徴とする。
【００１１】
前記請求項２に係るパチンコ機によれば、調整者が前枠扉を開放する操作に連動して調光部材を背後が視認し難い第２透視状態とする。その結果、透明領域を備えた遊技盤を用いた場合であっても、調光部材の透視状態の切り換えが簡便になるので、調整対象物の調整作業を正確且つ容易に行わせることが可能となる。
【００１２】
また、請求項３に係るパチンコ機は、更に、調光部材の第２透視状態では、第１透視状態よりも白みがかかって見えることを特徴とする。
【００１３】
例えば調光部材の第２透視状態が第１透視状態よりも黒みがかかって見える構成の場合、調光部材を第２透視状態とすることによって、遊技盤の背面側に構造物、発光装置または反射部材があったとき、それらを視認し難い状態にできるが、今度は遊技盤の表面に映り込んだ調整対象物自身や背景が目立つようになり、それによって調整者は調整対象物の正確な形状の判別に支障をきたす。
そこで、前記請求項３に係るパチンコ機によれば、調光部材を第１透視状態から第１透視状態よりも白みがかかって見える第２透視状態へ切り換えることで、遊技盤背面側の構造物を見え難くするだけでなく、遊技盤の表面反射により生じる明部と暗部との差分を小さくできるから、遊技盤の表面に映り込む調整対象物や背景が目立たなくなり、調整対象物の調整作業を正確かつ容易に行わせることが可能となる。
【図面の簡単な説明】
【００１４】
【図１】本実施形態に係るパチンコ機全体を示した正面図である。
【図２】同パチンコ機の透明遊技盤を示す正面図である。
【図３】図２の線Ａ−Ａで透明遊技盤を切断した矢視断面図である。
【図４】調光シートの配置についての変形例を示した部分断面図である。
【図５】調光シートの配置についての変形例を示した部分断面図である。
【図６】調光シートによる透視状態と不透視状態の切り換え制御を示した説明図である。
【発明を実施するための形態】
【００１５】
以下、本発明に係るパチンコ機について具体化した一実施形態について図面を参照して詳細に説明する。先ず、本実施形態に係るパチンコ機１の概略構成について図１に基づき説明する。図１は本実施形態に係るパチンコ機全体を示した正面側斜視図である。
【００１６】
図１に示すように、パチンコ機１は、縦長の方形状に形成された機体の外郭を為す外枠２と、外枠２の内側に取り付けられた中枠３と、中枠３に開閉可能に設けられている額縁状に形成された前枠扉４とで構成される。また、中枠３は、外枠２に対して開閉自在に設置される前面枠（図示せず）と、機構部品等が取り付けられる機構板（図示せず）と、それらに取り付けられる種々の部品（後述する透明遊技盤６等を除く）とを含む構造体である。更に、この中枠３の前面枠には、後述する遊技領域５が前面に形成された透明部材からなる透明遊技盤６（図２参照）が着脱自在に組み付けられている。一方、前枠扉４の背面において、中枠３の一部を構成する機構板には、電源ユニット（図示せず）や各種制御基板が収納された基板ボックス（図示せず）や後述のスピーカ７などの部品が取り付けられている。
【００１７】
また、前枠扉４は、略円形上のガラス板を中央に備え、遊技領域５の前面において該遊技領域５を視認可能な状態で覆う扉型カバー部材である。そして、透明遊技盤６の前面に設けられた遊技領域５は、前枠扉４によって保持されているガラス板を通して遊技者に視認可能となっている。
【００１８】
また、前枠扉４の下部表面には発射球貯留皿（上皿）１０がある。発射球貯留皿１０の下部には、発射球貯留皿１０に収容しきれない遊技球を貯留する余剰球受皿（下皿）１１と遊技球を発射する操作ハンドル１２が設けられている。そして、操作ハンドル１２に対して回動可能に装着された操作レバー１３を遊技者が回動操作することにより、中枠３に設けられた発射球貯留皿１０に貯留されている遊技球が、図示しない球送り機構を介して発射装置１４に送られた後、遊技領域５に向けて発射される。また、発射球貯留皿１０の背面側にはパチンコ機１に関する各種音（ＢＧＭ、効果音、警告音等）を出力するスピーカ７が配置されている。
【００１９】
また、中枠３の上端縁部の前面には、前枠扉４の開放を検出する為の開放検出センサ１６が設けられている。ここで、開放検出センサ１６は、接触型のセンサであり、パチンコ機１に対して前枠扉４が閉鎖されている場合にＯＮ（接触）となり、パチンコ機１に対して前枠扉４が開放されている場合にＯＦＦ（非接触）となる。そして、開放検出センサ１６はＯＦＦ（非接触）となった場合に、前枠扉４の開放を示す検出信号を開放検出センサ１６に接続された主制御基板（図示せず）へと送信する。その結果、主制御基板は、前枠扉４が開放されていることを検出可能となる。尚、主制御基板は、パチンコ機１の主電源がＯＮされた状態で前枠扉４が開放されていることを検出すると、前枠扉４が開放されていることを報知する警告音をスピーカ７より出力する。更に、透明遊技盤６の裏面に貼り付けられた後述の調光シート１７を、背後が透視可能な透視状態から背後が透視不可能な不透視状態へと切り換える。
【００２０】
続いて、中枠３に組み付けられている透明遊技盤６について、図２及び図３に基づいて説明する。図２はパチンコ機の透明遊技盤を示した正面図である。図３は図２の線Ａ−Ａで透明遊技盤６を切断した矢視断面図である。
透明遊技盤６は、アクリル板等の透明性を有する部材で形成され、遊技者から背面側が透視可能な透明領域を備える。尚、本実施例では透明遊技盤６全体を透明領域とする。また、図２に示すように、透明遊技盤６は、外周端部付近に、円弧状の外レール２１、逆流防止弁２２及び内レール２３が取り付けられている。これらの外レール２１、逆流防止弁２２及び内レール２３によって囲まれた円形状の領域が遊技領域５となる。そして、遊技領域５内には、調整対象物である釘や後述の各種役物が配置されている。そして、逆流防止弁２２で仕切られた放出口２４から飛び出したパチンコ球は、自重落下をするとともに釘や各種役物と接触して遊技領域５内を転動する。
【００２１】
また、遊技領域５には、遊技領域５の中心部を基準として、通過ゲート（スルー・チャッカー）２５、特別図柄始動口（スタート・チャッカー）２６等が配設されており、この特別図柄始動口２６の下方には、遊技領域５の下端部付近に位置してアタッカー２７が配置されている。また、特別図柄始動口２６には、パチンコ球の入賞を検出する始動口スイッチ（図示せず）が設けられ、パチンコ球の入賞を検出することで後述の画像表示装置４１において識別図柄の変動が開始される。
【００２２】
また、アタッカー２７には、開閉扉２８が設けられており、当該開閉扉２８が開放又は閉塞することによって開口又は閉口するようになっている。開閉扉２８の開放時には、開閉扉２８上に落下した遊技球が開閉扉２８に案内されてアタッカー２７へ入賞する。
【００２３】
また、遊技領域５には、風車２９や、遊技領域５内を自重落下するパチンコ球を所定の経路に誘導する多数の遊技釘３０が設けられている。これらの風車２９及び遊技釘３０は、パチンコ球に対する姿勢（具体的には曲率や遊技盤に対する角度）が調整可能に配置され、パチンコ球と接触することによりパチンコ球の転動方向を変化させる。そして、パチンコ球は、風車２９や遊技釘３０等により特別図柄始動口２６の近傍に案内される。なお、透明遊技盤６の中央下方には、透明遊技盤６の裏面側通路と前面側通路とにパチンコ球の通路が設けられたステージを設けてもよい。ステージ上に案内されたパチンコ球は、特別図柄始動口２６に入賞しやすくなる。
【００２４】
更に、透明遊技盤６の最下位置には、外れ球を透明遊技盤６の裏側へ排出するアウト口３１が設けられている。
【００２５】
また、透明遊技盤６の中央部には、後述の画像表示装置４１の周囲を囲うように飾り部材３２が設置されている。また、飾り部材３２の内側の底面にはパチンコ球を転動させるステージ３３が形成されている。
【００２６】
次に、パチンコ機１に配置された発光装置及び反射部材について説明する。尚、発光装置はＬＣＤ、ＬＥＤ、ランプ等の発光源を備えた装置であり、本実施形態のパチンコ機１は発光装置として画像表示装置４１、照明装置４２を備える。また、反射部材は鏡やメッキ部品等の光を反射する部材であり、本実施形態のパチンコ機１は反射部材として鏡面部４３を備える。
【００２７】
ここで、画像表示装置４１は、発光源としてＬＣＤを備え、図３に示すように透明遊技盤６の中央に開設された開口部４４の背面側に配設されている。そして、画像表示装置４１には、遊技の進行に従ってキャラクタの画像や識別図柄、普通図柄等を表示し、パチンコ機１の内部抽選の抽選結果（例えば、大当りやリーチはずれ等）を遊技者に対して報知する。更に、所定時間以上入賞口やアウト口３１にパチンコ球が入賞しない場合には、デモ画面を表示させる。
尚、本実施形態のパチンコ機１では、透明遊技盤６の開口部４４に対して画像表示装置４１を配設するように構成しているが、透明遊技盤６に開口部４４を形成せずに画像表示装置４１を透明遊技盤６の背面側に配置しても良い。その場合には、遊技者は透明遊技盤６を介して画像表示装置４１の表示内容が視認可能となる。
【００２８】
一方、照明装置４２は、発光源としてＬＥＤ４５を備え、透明遊技盤６の背面側において、透明遊技盤６と一定の間隔を空けて配置される。ここで、照明装置４２は図３に示すように、ＬＥＤ基板４６と、ＬＥＤ基板４６上に配置された複数のＬＥＤ４５と、ＬＥＤ４５の前面に配置されＬＥＤ４５から発光された光を拡散させて均一にするＬＥＤレンズ４７とから構成される。また、ＬＥＤレンズ４７はパチンコ機１と関係のある形状（例えば、パチンコ機１と関連する文字やキャラクタの形状）を備える。
そして、照明装置４２は図示しない演出制御基板に接続され、演出制御基板から送信される制御信号に基づいてＬＥＤ４５を発光させる。その結果、照明装置４２は、画像表示装置４１の表示内容とリンクして発光したり、大当りとなったことを遊技者に報知する際に発光する。尚、発光された光は、透明遊技盤６を介して視認可能となる。
【００２９】
また、鏡面部４３は、表面に光を反射する反射面４８を備え、透明遊技盤６の背面側において、透明遊技盤６と一定の間隔を空けて配置される。また、反射面４８はパチンコ機１と関係のある形状（例えば、パチンコ機１と関連する文字やキャラクタの形状）を備える。
そして、鏡面部４３はパチンコ機１の備える発光源から発光された光を遊技者方向へと反射する。尚、反射された光は、透明遊技盤６を介して視認可能となる。
但し、後述のように透明遊技盤６の裏面に貼り付けられた後述の調光シート１７が不透視状態にある場合には、照明装置４２から発光された光や鏡面部４３によって反射された光は調光シート１７によって遮光され、遊技者へ届かないように構成される。
【００３０】
また、前記した透明遊技盤６の背面側には、図３に示すように枠体５１が取り付けられている。そして、上述した画像表示装置４１は枠体５１の背面側に設置される。また、枠体５１の中央部には画像表示装置４１の表示画面に対応する位置に枠部５２が設けられている。枠部５２は、枠体５１の背面壁部５３からパチンコ機の前面側に突出して筒状に形成され、透明遊技盤６の開口部４４に対して嵌合する。従って、遊技者は開口部４４及び枠部５２を通して画像表示装置４１が視認可能となる。また、透明遊技盤６と枠体５１の背面壁部５３との間には、枠部５２の高さに相当する間隔の空間５４が形成される。そして、この空間５４内において上述した照明装置４２や鏡面部４３が設置される。
【００３１】
また、透明遊技盤６の裏面には調光シート１７が配置されている。
ここで、調光シート１７は、演出制御基板に接続された液晶駆動回路（図示せず）から印加される電圧に応じて透過率を変化するフィルム状の液晶シートである。具体的には、ネマティック液晶の小滴が分散したポリマー・フィルムを２枚の透明導電膜付きポリエステル・フィルムに挟んだ構造を有する。そして、この導電膜に対して液晶駆動回路から電圧が印加されていない状態では、調光シート１７はポリマーと液晶の屈折率の違いおよび液晶の複屈折性によって、不透明に見える。一方、電圧が印加された状態では、液晶分子が電極に対して垂直に配列し、屈折率がポリマーと一致することによって、調光シート１７は透明に見える。
【００３２】
そして、調光シート１７は、図３に示すようにパチンコ機１の透明遊技盤６と同じ形状を有し、透明遊技盤６の裏側全面に対して貼り付けられている。また、調光シート１７の端縁には導電膜に対して液晶駆動回路から電圧を印加する為の電極６０が備え付けられている。
【００３３】
尚、本実施形態では調光シート１７は、パチンコ機１の透明遊技盤６の裏側面に対して貼り付けられているが、透明遊技盤６の表面又は表面より背面側で、且つ照明装置４２及び鏡面部４３より前面側であれば、どの位置に配置されていても良い。例えば、図４に示すように透明遊技盤６の表面に配置されていても良い。また、図５に示すように透明遊技盤６と鏡面部４３の間に配置しても良い。更に、本実施形態では、調光シート１７は、パチンコ機１の透明遊技盤６の全面に対して貼り付けられているが、透明遊技盤６の一部領域のみに対して貼り付けても良い。但し、その場合には、少なくとも頻繁に調整を行う調整対象物の周囲に対しては貼り付けることが望ましい。尚、頻繁に調整を行う調整対象物としては、パチンコ球の入賞口（特別図柄始動口２６、アタッカー２７等）への入賞確率を大きく左右する調整対象物であり、例えば、（Ａ）特別図柄始動口２６、アタッカー２７等の入賞口の上部に配置されている所謂命釘と呼ばれる遊技釘３０、（Ｂ）通過ゲート２５の上部に配置されている遊技釘３０、（Ｃ）ワープ入賞口にある遊技釘３０、（Ｄ）風車２９等が該当する。
【００３４】
次に、調光シート１７の作用効果について説明する。
本実施形態に係るパチンコ機１では、主制御基板は開放検出センサ１６により前枠扉４の開放が検出されていない場合には、調光シート１７に対して電圧を印加するように制御する。その場合には、図６の上図に示すように、調光シート１７は背後が透視可能な透視状態（第１透視状態）となり、遊技者は透明遊技盤６を介して透明遊技盤６の背後に配置された照明装置４２、鏡面部４３及びその他の構造物などを視認することが可能となる。
一方、主制御基板は開放検出センサ１６により前枠扉４の開放が検出されている場合には、調光シート１７に対して電圧を印加しないように制御する。その場合には、図６の下図に示すように、調光シート１７は背後が透視不可能な不透視状態（即ち、第１透視状態よりも透視が困難な第２透視状態）となり、遊技者は透明遊技盤６を介して透明遊技盤６の背後に配置された照明装置４２、鏡面部４３及びその他の構造物などが視認することができなくなる。尚、調光シート１７は透明色から白みがかかった色へと変化することによって、透視状態から不透視状態へと切り換わる。
【００３５】
従って、調整者が前枠扉４を開放して調整対象物（風車２９や遊技釘３０）の調整を行う際には、調光シート１７が不透視状態に制御される。その結果、調整者は調整時において透明遊技盤６の背面側にある構造物が視界に入ることが無いため、距離感にズレが生じることがない。また、遊技盤表面や鏡面部４３に対する調整対象物や背景の映り込みを抑えることができ、調整対象物の現在の形状を正確に特定することが可能となる。また、透明遊技盤６の背後にある照明装置４２から発光された光を遮光するので、調整者が調整中に眩しく感じることが無い。調光シート１７は不透視状態では白みがかかった色となるので、遊技盤背面側の構造物を見え難くするだけでなく、遊技盤の表面反射により生じる明部と暗部との差分を小さくできるから、遊技盤の表面に映り込む調整対象物や背景が目立たなくなり、調整対象物の調整作業を正確かつ容易に行わせることが可能となる。
一方、調整者による調整対象物の調整が終わった後には、前枠扉４を閉鎖することによって、調光シート１７は透視状態に制御される。その結果、遊技者が遊技を行う際には透明遊技盤６による演出効果を損なうことが無い。
【００３６】
また、本実施形態では調光シート１７を制御することによって、図６に示すように透明遊技盤６の全体を不透視状態としているが、頻繁に調整を行う調整対象物（上記（Ａ）〜（Ｄ））の周囲のみを不透視状態とするように調光シート１７を制御しても良い。調光シート１７では導電膜にパターンを施すことによって、部分ごとに透視状態と不透視状態の切り換え制御が可能となる。
【００３７】
以上説明したとおり、本実施形態に係るパチンコ機１によれば、透明遊技盤６の裏側面に対して調光シート１７を貼り付け、主制御基板は開放検出センサ１６により前枠扉４の開放が検出されていない場合には、調光シート１７に対して電圧を印加し、調光シート１７を背後が透視可能な透視状態（第１透視状態）となるように制御するとともに、開放検出センサ１６により前枠扉４の開放が検出されている場合には、調光シート１７に対して電圧を印加せず、調光シート１７を背後が透視不可能な不透視状態（第２透視状態）となるように制御するので、調整者が調整対象物のパチンコ球に対する姿勢を調整する際に、遊技盤の背面側に構造物がある場合にはその構造物を視認し難い状態とし、距離感のズレが生じるのを抑える。また、照明装置４２からの光が遊技者の目に入射するのを抑える。更に、鏡面部４３に調整対象物や背景が映り込むのを抑える。その結果、透明領域を備えた遊技盤を用いた場合であっても調整対象物の調整作業を正確且つ容易に行わせることが可能となる。
また、調整者が前枠扉４を開放する操作に連動して調光シート１７を背後が視認し難い第２透視状態とするので、透明領域を備えた透明遊技盤６を用いた場合であっても、調光シート１７の透視状態の切り換えが簡便になるので、調整対象物の調整作業を正確且つ容易に行わせることが可能となる。
また、例えば調光シート１７の第２透視状態が第１透視状態よりも黒みがかかって見える構成の場合、調光シート１７を第２透視状態とすることによって、遊技盤の背面側に構造物、発光装置または反射部材があったとき、それらを視認し難い状態にできるが、今度は遊技盤の表面に映り込んだ調整対象物自身や背景が目立つようになり、それによって調整者は調整対象物の正確な形状の判別に支障をきたす。
そこで、調光シート１７を第１透視状態から第１透視状態よりも白みがかかって見える第２透視状態へ切り換えることで、遊技盤背面側の構造物を見え難くするだけでなく、遊技盤の表面反射により生じる明部と暗部との差分を小さくできるから、遊技盤の表面に映り込む調整対象物や背景が目立たなくなり、調整対象物の調整作業を正確かつ容易に行わせることが可能となる。
【００３８】
尚、本発明は、上記実施形態に限定されるものではなく、本発明の要旨を逸脱しない範囲内で種々の改良、変形が可能であることは勿論である。
例えば、本実施形態では透視状態と不透視状態との間で状態を切り換え可能な調光部材として、シート形状の調光シート１７を用いているが、ガラス形状の調光ガラスを用いても良い。
【００３９】
また、本実施形態では前枠扉４の開放を検出した場合に、調光シート１７を背後が透視不可能な不透視状態となるように制御するが、前枠扉４の施錠が解錠されたことを検出した場合に、調光シート１７を不透視状態となるように制御しても良い。また、パチンコ機１の内部又は外部にスイッチを設け、スイッチ操作に基づいて調光シート１７の透視状態と不透視状態を切り換えるように制御しても良い。
【００４０】
また、照明装置４２と鏡面部４３のいずれか一方のみを配置するように構成しても良い。
【００４１】
また、本実施形態では遊技盤の全体を透明部材で形成した透明遊技盤６を用いているが、遊技盤の遊技領域内の一部領域（透明領域）のみを透明部材で形成した遊技盤を用いても良い。その場合には、透明領域の背後に照明装置４２、鏡面部４３、調光シート１７を配置するように構成する。
【符号の説明】
【００４２】
１…パチンコ機、５…遊技領域、６…透明遊技盤、１７…調光シート、２９…風車、３０…遊技釘、４２…照明装置、４３…鏡面部。
【図１】
2010273826.tif 000003
【図２】
2010273826.tif 000004
【図３】
2010273826.tif 000005
【図４】
2010273826.tif 000006
【図５】
2010273826.tif 000007
【図６】
2010273826.tif 000008